(57)【要約】【課題】車両用表示装置に表示された距離情報の識別性を向上させる。【解決手段】車両用表示装置の表示制御装置は、車両用表示装置に表示すべき情報の種類を判定する判定部と、表示すべき情報の種類が積算走行距離と判定された場合には積算走行距離をゼロパディングして表示し、表示すべき情報の種類が区間走行距離と判定された場合には積算走行距離をゼロサプレスして車両用表示装置に表示させる制御部とを備える。【選択図】図２
2019182173.tif 000002
【特許請求の範囲】
【請求項１】
車両用表示装置の表示制御装置であって、
表示すべき情報の種類を判定する判定部と、
前記表示すべき情報の種類が積算走行距離と判定された場合には前記積算走行距離をゼロパディングして表示させ、前記表示すべき情報の種類が区間走行距離と判定された場合には前記区間走行距離をゼロサプレスして前記車両用表示装置に表示させる制御部とを備える、表示制御装置。
【発明の詳細な説明】
【技術分野】
【０００１】
本発明は、車両用表示制御装置とその表示制御装置に関する。
【背景技術】
【０００２】
一般に、自動車等には、積算走行距離を表示するオドメータや、区間走行距離を表示するトリップメータが搭載されている。特許文献１には、オドメータや、トリップメータ、アイドルストップ時間などの複数の情報を、一つの表示装置でトグル状に切り替えて表示する車両用表示装置が提案されている。表示させる情報は、例えば、運転者の手元のスイッチなどで切り替えを行うことができ、運転者が所望する情報を表示させることができる。
【先行技術文献】
【特許文献】
【０００３】
【特許文献１】特開２００８−２４７３９１号公報
【発明の概要】
【発明が解決しようとする課題】
【０００４】
しかしながら、オドメータとトリップメータは両方とも距離を表示するため、特許文献１が示すような表示方法では、運転者にとっては、どちらの距離情報が表示されているか瞬時に判断しにくいという問題があった。
【０００５】
本発明は、上記課題を鑑みてなされたものであり、車両用表示装置に表示された距離情報の識別性を向上させることを目的とする。
【課題を解決するための手段】
【０００６】
上記課題を解決するために、本発明は、表示すべき情報の種類を判定する判定部と、表示すべき情報の種類が積算走行距離と判定された場合には積算走行距離をゼロパディングして表示し、表示すべき情報の種類が区間走行距離と判定された場合には区間走行距離をゼロサプレスして車両用表示装置に表示させる制御部とを備える表示制御装置を提供する。
【０００７】
これにより、車両用表示装置に表示された距離情報の識別性を向上させることができる。
【発明の効果】
【０００８】
本発明の表示制御装置によれば、車両用表示装置に表示された距離情報の識別性を向上させることができる。
【図面の簡単な説明】
【０００９】
【図１】本発明の一実施形態に係る表示制御装置の機能構成図
【図２】距離表示例を示す説明図
【図３】本発明の一実施形態に係る処理を示すフローチャート
【発明を実施するための形態】
【００１０】
（概要）
本発明に係る表示制御装置は、表示すべき情報の種類が積算走行距離の場合には積算走行距離をゼロパディングし、区間走行距離の場合には積算走行距離をゼロサプレスして車両用表示装置に表示する。これにより、車両用表示装置に表示された距離情報の識別性を向上させることができる。
【００１１】
（実施形態）
以下、図面を用いて本発明を実施するための一実施形態を説明する。
【００１２】
図１は、本発明の一実施形態に係る表示制御装置を示す機能構成図である。表示制御装置１は判定部２、制御部３を含む。車両用表示装置４は、積算走行距離や区間走行距離を表示するための表示器であり、例えば、液晶表示装置やＬＥＤ表示器である。判定部２は、車両用表示装置４に表示すべき情報の種類を判定する。判定部２の判定により、表示すべき情報の種類が積算走行距離であると判定された場合は、制御部３は積算走行距離をゼロパディングして車両用表示装置４に表示する制御を行う。また、判定部２の判定により、表示すべき情報の種類が区間走行距離であると判定された場合は、制御部３は区間走行距離をゼロサプレスして車両用表示装置４に表示する制御を行う。
【００１３】
図２は、距離表示例を示す説明図である。なお、図２に記載の各メータの表示例において、文字を黒色で表し、背景を白色で表しているが、実際には、文字の輝度は背景よりも高く設定される。
【００１４】
図２（ａ）は、一般的なオドメータ（左図）とトリップメータ（右図）の表示例を示している。なお、オドメータとトリップメータは、ユーザによる切り替え操作に応じて、それぞれトグル状に切り替えて車両用表示装置４に表示される。図２（ａ）に示す一般的な表示例では、例えば、積算走行距離が１２３ｋｍ、区間走行距離が１２．３ｋｍである場合は、オドメータとトリップメータのどちらが表示されているのかが、一見わかりにくい。そこで、本実施形態に係る表示制御装置１は、図２（ｂ）に示すように、積算走行距離をゼロパディングしてオドメータとして表示（左図）させることで、トリップメータ（右図）との見た目の差を明確にする。これにより、車両用表示装置４に距離が表示された場合、運転者は表示されている情報が積算走行距離なのか、区間走行距離なのかを視覚的に認識しやすくなる。さらに、図２（ｃ）の表示方法を採用することがより好ましい。図２（ｃ）に示す表示例では、ゼロパディングされた数字０の明度（輝度）を他の数字よりも低くすることで、距離情報の可読性や判読性を向上させることができる。なお、図面の都合上、明度を下げた数字０を相対的に細い文字で表現している。
【００１５】
図３は、表示制御装置１が行う処理を示す一実施例のフローチャートである。本処理は、自動車等の車両のイグニッションスイッチがＯＮされたとき、及び、車両用表示装置４の表示切り替え操作が行われたときに開始される。
【００１６】
判定部２は、車両用表示装置４に表示すべき情報の種類が積算走行距離（ＯＤＯ）であるか、または、区間走行距離（ＴＲＩＰ）であるかを判定する（ステップＳ１０）。例えば、複数の情報をトグル表示する場合は、表示内容の切り替え操作が行われるたびに、表示すべき情報の種類を所定の順序で更新し、更新後の表示すべき情報の種類を記憶する。イグニッションスイッチＯＮ時、または表示内容の切り替え操作が行われた場合、更新後の表示すべき情報の種類に基づいて、表示すべき情報の種類を特定する。ここで、表示すべき情報の種類が積算走行距離と判定された場合は、ステップＳ１１に進み、区間走行距離と判定された場合はステップＳ１６に進む。
【００１７】
ステップＳ１０で積算走行距離が選択されていると判定された場合、制御部３は、表示すべき距離情報にゼロパディング処理を行う（ステップＳ１１）。
【００１８】
文字の表示色を設定するための繰り返し処理を実行する（ステップＳ１２からステップＳ１４）。まず、判定部２は、ゼロパディング処理を行った数値に対し、その数値に含まれる数字０がゼロパディングによって表示される数字０であるかどうかを判定する（ステップＳ１２）。ここで、数字０がゼロパディングによって表示される数字である場合は、ステップＳ１３に進み、それ以外の場合はステップＳ１４に進む。
【００１９】
数字０がゼロパディング処理によって表示される０であった場合、制御部３は、パディングされた数字０の色を背景色とのコントラストが相対的に小さい色に設定する（ステップＳ１３）。例えば、パディングされた数字０の明度（輝度）を他の数字や文字よりも下げる方法が考えられる。
【００２０】
数字０がゼロパディング処理によって表示される０でない場合、制御部３は、パディングされた数字０の色を背景色とのコントラストが相対的に大きい色に設定する（ステップＳ１４）。例えば、パディングされた数字０以外の数字の明度（輝度）を他の数字や文字よりも大きくする方法が考えられる。
【００２１】
上述したステップＳ１２、ステップＳ１３及びステップＳ１４の処理を、最大桁から１の位まで繰り返して各桁の数字の表示色を設定した後、制御部３は、積算走行距離を設定した表示色で車両用表示装置４にオドメータとして表示させる（ステップＳ１５）。その後処理を終了する。
【００２２】
ステップＳ１０で区間走行距離が選択されていると判定された場合、制御部３は、区間走行距離の数値にゼロサプレス処理を行って、区間走行距離をトリップメータとして車両表表示装置４に表示させる（ステップＳ１６）。その後、処理を終了する。
【００２３】
（効果）
上述した本発明の一実施形態によれば、車両用表示装置４に距離情報が表示された場合に、オドメータとトリップメータのどちらが表示されているかの識別性や可読性、判読性を向上させることができる。
【００２４】
（他の実施形態）
以上、本発明の一実施形態について説明したが、本発明は、上述した実施形態に限定されるものではなく、本発明の要旨を逸脱しない範囲内において種々の実施形態に適用することができる。例えば、上述した実施の形態では、ゼロパディング処理によって表示された数字０のコントラストを背景色に対して下げることで可読性・判読性を向上させたが、数字０の文字サイズを小さく変更することでも同様な効果が期待できる。
【産業上の利用可能性】
【００２５】
本発明は、車両用表示装置に利用可能である。
【符号の説明】
【００２６】
１    表示制御装置
２    判定部
３    制御部
４    車両用表示装置
【図１】
2019182173.tif 000003
【図２】
2019182173.tif 000004
【図３】
2019182173.tif 000005